(57)【特許請求の範囲】
【請求項１】
ピストンロッドの押し込みに対しシリンダ内に充填された粘性流体の抵抗を作用させるように構成されたピストンダンパーと、
このピストンダンパーをピストンロッドを後方に突き出させるようにして保持する保持部と、この保持部より前方に制動対象物に対する連係部を備えたホルダーと、
このホルダーを前後動可能に支持するケースとを備えてなり、
ホルダーの保持部は、前記シリンダをその軸線に直交する向きから納め入れ可能に左右のいずれか一方の側において開放された前記シリンダの保持凹部から構成されており、
ケースは、開放された前端からホルダーを前記保持部を先にして納め入れ可能に構成されると共に、納められたホルダーの保持凹部に連通する側方開放部と、ホルダーに保持されたピストンダンパーのピストンロッドが当接される後壁とを有しており、
しかも、ケースには、側方開放部における開口前縁からホルダーの移動方向に交叉する向きに沿ってケースの底部内に形成された前記粘性流体の前側流れ止め部と、この前側流れ止め部と前記後壁との間に亘って側方開放部の開口下縁を縁取る横側流れ止め部とが形成されていることを特徴とするダンパー装置。
【請求項２】
ホルダーの最前進位置において、このホルダーの保持凹部の形成箇所の外面であって、前側流れ止め部よりも後方に位置される箇所に、ホルダーの移動方向に交叉する向きに続く縦溝が形成されていることを特徴とする請求項１に記載のダンパー装置。
【請求項３】
ホルダーの移動方向において隣り合う縦溝との間に間隔を開けて複数の縦溝が設けられていると共に、
ホルダーの外面であって、前記複数の縦溝のうち最も後方に位置される縦溝よりも後方に位置される箇所に、この縦溝に溝前端を連通させてホルダーの移動方向に続く横溝が形成されていることを特徴とする請求項２に記載のダンパー装置。
【請求項４】
ホルダーの保持凹部内にピストンダンパーのシリンダに対する係合突部が、このホルダーの移動方向に間隔を開けて前後にそれぞれ形成されていると共に、
このホルダーにおける保持凹部の形成箇所に、ホルダーの外面側から前側の前記係合突部を臨める大きさの前側窓穴と、ホルダーの外面側から後側の前記係合突部を臨める大きさの後側窓穴とが形成されていることを特徴とする請求項１〜請求項３のいずれか１項に記載のダンパー装置。
【請求項５】
ホルダーの最前進位置において、前側窓穴が前側流れ止め部よりも前方に位置されるようになっていると共に、
ホルダーにおける前側窓穴と後側窓穴との間であって、ホルダーの最前進位置において、前側流れ止め部よりも後方に位置される箇所に、保持凹部を内外に連通させる貫通孔が形成されており、
少なくとも、この貫通孔と前側窓穴との間において、ホルダーの保持凹部の形成箇所の外面に、ホルダーの移動方向に交叉する向きに続く縦溝が形成されていることを特徴とする請求項４に記載のダンパー装置。
【発明の詳細な説明】
【技術分野】
【０００１】
この発明は、制動対象物を可動可能に支持する基本対象物に備えられて、この制動対象物の移動又は相対的な移動に、これを構成するピストンダンパーのシリンダ内に充填された粘性流体の抵抗を作用させるように用いられるダンパー装置の改良に関する。
【背景技術】
【０００２】
ピストンロッドの押し込みに対しシリンダ内に充填された粘性流体の抵抗を作用させるように構成されたピストンダンパーを含んで構成されるダンパー装置がある。かかるピストンダンパーではピストンロッドの突きだし側からの粘性流体の漏れだしの可能性が零ではない。したがって、かかるピストンダンパーが利用される対象物によってはこうした漏れだしが生じた場合の対策が求められるところである。
【０００３】
ピストンダンパーを用いたものではないが、シャフトを回転可能に支持するケースに粘性流体を充填させてなるドアチェック装置がある。（特許文献１参照）この装置を構成するケースは、ケース本体とその開口を塞ぐ蓋とからなる。この装置では粘性流体の液漏れを防ぐために、ケースをさらにベースに納めて前記蓋の浮き上がりを阻止するようにしている。
【先行技術文献】
【特許文献】
【０００４】
【特許文献１】特開２００９−１０２８５９号公報
【発明の概要】
【発明が解決しようとする課題】
【０００５】
この発明が解決しようとする主たる問題点は、ピストンダンパーを含んで構成されるダンパー装置において、ピストンダンパーを構成するシリンダに充填された粘性流体の漏れだしが生じた場合でも、漏れだした粘性流体をダンパー装置外に流れ出させることのないようにする点にある。
【課題を解決するための手段】
【０００６】
前記課題を達成するために、この発明にあっては、ダンパー装置を、ピストンロッドの押し込みに対しシリンダ内に充填された粘性流体の抵抗を作用させるように構成されたピストンダンパーと、
このピストンダンパーをピストンロッドを後方に突き出させるようにして保持する保持部と、この保持部より前方に制動対象物に対する連係部を備えたホルダーと、
このホルダーを前後動可能に支持するケースとを備えてなり、
ホルダーの保持部は、前記シリンダをその軸線に直交する向きから納め入れ可能に左右のいずれか一方の側において開放された前記シリンダの保持凹部から構成されており、
ケースは、開放された前端からホルダーを前記保持部を先にして納め入れ可能に構成されると共に、納められたホルダーの保持凹部に連通する側方開放部と、ホルダーに保持されたピストンダンパーのピストンロッドが当接される後壁とを有しており、
しかも、ケースには、側方開放部における開口前縁からホルダーの移動方向に交叉する向きに沿ってケースの底部内に形成された前記粘性流体の前側流れ止め部と、この前側流れ止め部と前記後壁との間に亘って側方開放部の開口下縁を縁取る横側流れ止め部とが形成されているものとした。
【０００７】
かかる構成によれば、ピストンダンパーのシリンダに充填された粘性流体がこのシリンダにおけるピストンロッドの突きだし側から外部に漏れだした場合でも、ケースにおける前側流れ止め部によりケースの開放された前端からケース外に流れ出させることはなく、かつ、横側流れ止め部によりケースの側方開放部からもケース外に流れ出させることはない。
【０００８】
前記ホルダーの最前進位置において、このホルダーの保持凹部の形成箇所の外面であって、前側流れ止め部よりも後方に位置される箇所に、ホルダーの移動方向に交叉する向きに続く縦溝を形成させておけば、ピストンダンパーのシリンダから前記のように漏れだしてホルダーの保持凹部の形成箇所の外面とケースの内面との間に入り込んだ粘性流体を、この縦溝によって案内してケースの前側流れ止め部と横側流れ止め部とにより囲われた底部内に留めることができる。この場合さらに、ホルダーの移動方向において隣り合う縦溝との間に間隔を開けて複数の縦溝を設けておくと共に、ホルダーの外面であって、前記複数の縦溝のうち最も後方に位置される縦溝よりも後方に位置される箇所に、この縦溝に溝前端を連通させてホルダーの移動方向に続く横溝を形成させておけば、ピストンダンパーのシリンダから前記のように漏れだしてホルダーの保持凹部の形成箇所の外面とケースの内面との間に入り込んだ粘性流体を、かかる複数の縦溝によって前記のように案内できると共に、かかる横溝によってホルダーの後端側に案内してケースの前側流れ止め部と横側流れ止め部とにより囲われた底部内に留めることができる。
【０００９】
前記ホルダーの保持凹部内にピストンダンパーのシリンダに対する係合突部を、このホルダーの移動方向に間隔を開けて前後にそれぞれ形成させておくと共に、このホルダーにおける保持凹部の形成箇所に、ホルダーの外面側から前側の前記係合突部を臨める大きさの前側窓穴と、ホルダーの外面側から後側の前記係合突部を臨める大きさの後側窓穴とを形成させておくこともある。このようにした場合、ホルダーに対しピストンダンパーをワンタッチで組み合わせることができると共に、そのために機能する前記係合突部を前記前側窓穴及び後側窓穴を利用して保持凹部内の前後二箇所にホルダーを合成樹脂により成形する金型の構造を複雑にすることなく容易に形成させることができる。この場合に、前記ホルダーの最前進位置において、前側窓穴が前側流れ止め部よりも前方に位置されるようにしておくと共に、ホルダーにおける前側窓穴と後側窓穴との間であって、ホルダーの最前進位置において、前側流れ止め部よりも後方に位置される箇所に、保持凹部を内外に連通させる貫通孔を形成し、少なくとも、この貫通孔と前側窓穴との間において、ホルダーの保持凹部の形成箇所の外面に、ホルダーの移動方向に交叉する向きに続く縦溝を形成させておくこともある。このようにした場合、ホルダーの保持凹部内の前後二箇所に前記係合突部を成形し易くする前側窓穴と後側窓穴を形成させておきながら、ホルダーの最前進位置において前側流れ止め部よりも前方に位置される前側窓穴に前記のように漏れだした粘性流体が至る前に貫通孔からホルダー外に流れ出させることができ、そして、この貫通孔から流れ出させた粘性流体をケースの前側流れ止め部と横側流れ止め部とにより囲われた底部内に留めることができる。
【発明の効果】
【００１０】
この発明によれば、ピストンダンパーを構成するシリンダに充填された粘性流体の漏れだしが生じた場合でも、漏れだした粘性流体のダンパー装置外への流れ出しを効果的に阻止することができる。
【図面の簡単な説明】
【００１１】
【図１】図１は実施の形態にかかるダンパー装置の分解斜視図である。
【図２】図２はダンパー装置を構成するケースの斜視図である。
【図３】図３はダンパー装置を構成するホルダーの斜視図である。
【図４】図４はホルダーが最も前進した状態におけるダンパー装置の側面図である。
【図５】図５はホルダーの連係部に制動対象物が突き当てられてホルダーが最も後退した状態におけるダンパー装置の側面図である。
【図６】図６はダンパー装置を構成するピストンダンパーの断面構成図である。
【図７】図７はケースの右側面図である。
【図８】図８は図７におけるＡ−Ａ線断面図である。
【図９】図９は図７におけるＢ−Ｂ線断面図である。
【図１０】図１０はホルダーの右側面図である。
【図１１】図１１はホルダーの左側面図である。
【図１２】図１２は図１０におけるＣ−Ｃ線断面図である。
【発明を実施するための形態】
【００１２】
以下、図１〜図１２に基づいて、この発明の典型的な実施の形態について、説明する。この実施の形態にかかるダンパー装置は、制動対象物Ｍを可動可能に支持する基本対象物（図示は省略する。）に備えられて、この制動対象物Ｍの移動又は相対的な移動に、これを構成するピストンダンパーＤのシリンダ１内に充填された粘性流体（図示は省略する。）の抵抗を作用させるように用いられるものである。
【００１３】
より具体的には、かかるダンパー装置は、例えば、制動対象物Ｍとしての扉によって閉塞される開口を備えた基本対象物としての収納体に備えられて、この扉を閉じるときのこの扉の動きを緩慢にするように用いられる。
【００１４】
かかるダンパー装置は、ピストンダンパーＤと、そのホルダーＳと、このホルダーＳを支持するケースＨとを組み合わせて構成されている。図示の例では、ケースＨが前記基本対象物に取り付けられ、ホルダーＳが前記制動対象物Ｍに連係されるようになっている。
【００１５】
ピストンダンパーＤは、ピストンロッド３の押し込みに対しシリンダ１内に充填された粘性流体の抵抗を作用させるように構成されている。
【００１６】
図示の例では、シリンダ１は、筒一端を閉塞し、筒他端を開放した、円筒状をなしている。シリンダ１内には、その軸線に沿って往復動されるピストン体２が納められている。ピストンロッド３はその一端側をピストン体２に固定されて、ピストン体２と組み合わされている。シリンダ１の筒他端は、中央にピストンロッド３の通し孔４ａを備えたキャップ４により閉塞されている。図６中、符号５はアキュームレータであり、このアキュームレータ５とキャップ４との間には符号６で示すシール部材が介在されている。ピストン体２とシリンダ１の閉塞された筒一端との間には圧縮コイルバネ７が介在されている。ピストンロッド３をシリンダ１内に押し込む向きの力が作用されると、前記バネ７を圧縮させながらシリンダ１の筒一端に近づく向きにピストン体２が往動される。図示の例では、この往動時にはピストン体２を構成するスライダ２ａが図６の右側に移動して粘性流体の流路を狭めるようになっており、これによりピストンロッド３の押し込みに対しシリンダ１内に充填された粘性流体の抵抗を作用させるようになっている。ピストンロッド３に対する前記力の作用がなくなると前記バネ７の付勢によりピストン体２は往動前の位置まで復動され、ピストンロッド３も押し込み前の位置まで突き出される。シリンダ１内に充填される粘性流体としては、典型的にはシリコンオイルやグリスオイルなどを用いることができる。
【００１７】
ホルダーＳは、前記ピストンダンパーＤをピストンロッド３を後方に突き出させるようにして保持する保持部８と、この保持部８より前方に制動対象物Ｍに対する連係部９を備えている。
【００１８】
かかるホルダーＳの保持部８は、前記シリンダ１をその軸線に直交する向きから納め入れ可能に左右のいずれか一方の側において開放された前記シリンダ１の保持凹部８ａによって構成されている。
【００１９】
図示の例では、ホルダーＳは、全体として棒状を呈している。前記連係部９と保持部８とは、中間部１０により一体化されている。中間部１０は、ホルダーＳの長さ方向に沿った上面部１０ａ及び下面部１０ｂと、この両面１０ａ、１０ｂ部に対し直角に交わる右側面部１０ｃと、この右側面部１０ｃ側を湾曲内側とするように弧状に湾曲した左側面部１０ｄとを備えている。連係部９は、中間部１０の前端面部１０ｅの上下方向略中程の位置から前方に突き出す突出部により構成されている。前記保持部８は、中間部１０の後端に筒前端を一体に連接させた略角筒状体の右側面部を切り欠いて開放させたような形態となっている。保持部８の内部が前記保持凹部８ａとなっている。
【００２０】
中間部１０には左側面部１０ｄにおいて開放されて右側面部１０ｃを穴底とする方形穴１０ｆが形成されていると共に、この穴底にはホルダーＳの移動方向に沿った上横割溝１０ｇ及び下横割溝１０ｈと、この上横割溝１０ｇ及び下横割溝１０ｈの溝前端間に亘る縦割溝１０ｉとが形成されており、これらの割溝１０ｇ、１０ｈ、１０ｉにより中間部１０の右側面部の一部が弾性片部１１となっている。弾性片部１１の縦割溝１０ｉに臨んだ自由端には隆起部１１ａが形成されている。
【００２１】
保持凹部８ａ内には、前記ピストンダンパーＤのシリンダ１に対する係合突部８ｄが、このホルダーＳの移動方向に間隔を開けて前後にそれぞれ形成されている。それと共に、このホルダーＳにおける保持凹部８ａの形成箇所に、ホルダーＳの外面側から前側の前記係合突部８ｄを臨める大きさの前側窓穴８ｅと、ホルダーＳの外面側から後側の前記係合突部８ｄを臨める大きさの後側窓穴８ｆとが形成されている。
【００２２】
図示の例では、係合突部８ｄは、保持凹部８ａの上壁８ｂと下壁８ｃとにそれぞれ形成されている。上下の係合突部８ｄ、８ｄ間の距離はピストンダンパーＤのシリンダ１の外径よりもやや小さく、保持凹部８ａにシリンダ１を前記のように納めるようにするとシリンダ１の周面に上下の係合突部８ｄ、８ｄが接して保持凹部８ａの側が上壁８ｂと下壁８ｃとの間の距離をやや広げる向きに弾性変形し、シリンダ１の最大径部分の係合突部８ｄの乗り越えが許容され、この乗り越え後の弾性復帰により保持部８の左側面部と係合突部８ｄとの間で納められたシリンダ１を保持するようになっている。保持部８の後端８ｇには、このように保持凹部８ａに納められたピストンダンパーＤのピストンロッド３をホルダーＳの後方に突き出させる割溝８ｈが形成されている。
【００２３】
これにより、この実施の形態にあっては、ホルダーＳに対しピストンダンパーＤをワンタッチで組み合わせることができると共に、そのために機能する前記係合突部８ｄを前記前側窓穴８ｅ及び後側窓穴８ｆを利用して保持凹部８ａ内の前後二箇所にホルダーＳを合成樹脂により成形する金型の構造を複雑にすることなく容易に形成させることができるようになっている。
【００２４】
ケースＨは、前記ホルダーＳを前後動可能に支持する。かかるケースＨは、開放された前端１５から前記ホルダーＳを前記保持部８を先にして納め入れ可能に構成されると共に、納められたホルダーＳの保持凹部８ａに連通する側方開放部１６と、ホルダーＳに保持されたピストンダンパーＤのピストンロッド３が当接される後壁１７とを有している。
【００２５】
図示の例では、ケースＨは、筒前端を開放させると共に筒後端を閉塞させた筒状体の右側部を、この筒前端から後方に向けた一定の範囲を残して切り欠くようにして構成されている。この切り欠かれた箇所により前記側方開放部１６が形成され、閉塞された筒後端により前記後壁１７が形成されている。
【００２６】
ケースＨにおけるホルダーＳの移動方向に直交する向きの断面内郭形状は同じ向きでのホルダーＳの断面外郭形状に倣っている。これによりケースＨは、第一に、前記保持凹部８ａの開放側をケースＨの側方開放部１６側に向けた向きでケースＨ内に納められるようになっている。また、第二に、ホルダーＳはその外面をケースＨの内面に摺接させるようにしてケースＨに前後動可能に支持されている。
【００２７】
図示の例では、ケースＨにおける前端１５と側方開放部１６との間に残された右側面部１８には、ホルダーＳの移動方向に長い長穴１８ａが形成されている。ホルダーＳはケースＨへの前記納め入れをケースＨの前記右側面部１８に対する前記中間部１０に形成された弾性片部１１の隆起部１１ａの当接によるこの弾性片部１１の撓み込みにより許容すると共に、ケースＨとホルダーＳとの組み合わせ状態はこの隆起部１１ａが長穴１８ａに入り込む位置でのこの弾性片部１１の撓み戻しによりこの隆起部１１ａを長穴１８ａに入り込ませることで維持されるようになっている。ケースＨに納められたホルダーＳの保持部８の後端８ｇとケースＨの後壁１７との間には前記のように突き出されたピストンロッド３により間隔が形成され、（図４）この状態においてホルダーＳの連係部９側はケースＨの前端１５から前方に突きだし、隆起部１１ａは長穴１８ａの穴前端側に位置される。図示の例では、ケースＨを基本対象物に取り付けた状態から、ホルダーＳの連係部９に前方から移動してくる制動対象物Ｍが突き当たると、前記長穴１８ａの範囲内でピストンロッド３をシリンダ１内に押し込みながらホルダーＳが後退され、これにより前記粘性流体の抵抗力をピストンダンパーＤの制動力として制動対象物Ｍに作用させるようになっている。（図５）この状態から制動対象物Ｍが復動されると、前記バネ７の作用により押し込み前の位置に復帰されるピストンロッド３によりホルダーＳは前記後退前の位置まで前進する。なお、図示の例では、ケースＨは、前記右側面部１８における長穴１８ａを挟んだ上下にそれぞれ形成された取り付け用突部１９と、後端から後方に突き出す取り付け用耳部２０によって、基本対象物に取り付けられるようになっている。
【００２８】
また、ケースＨには、側方開放部１６における開口前縁からホルダーＳの移動方向に交叉する向きに沿ってケースＨの底部２１内に形成された前記粘性流体の前側流れ止め部２２と、この前側流れ止め部２２と前記後壁１７との間に亘って側方開放部１６の開口下縁を縁取る横側流れ止め部２３とが形成されている。図示の例では、前側流れ止め部２２は、ホルダーＳの移動方向に直交する向きに、ケースＨの底部２１の内側に形成されたリブ状体として構成されている。横側流れ止め部２３はケースＨの後壁１７と右側面部１８との間に亘って形成され、前側流れ止め部２２はその右端をこの横側流れ止め部２３に一体に連接させると共にその左端をケースＨの左側面部２４の下部内面に一体に連接されている。
【００２９】
これにより、この実施の形態にあっては、ピストンダンパーＤのシリンダ１に充填された粘性流体がこのシリンダ１におけるピストンロッド３の突きだし側から外部に漏れだした場合でも、ケースＨにおける前側流れ止め部２２によりケースＨの開放された前端１５からケースＨ外に流れ出させることはなく、かつ、横側流れ止め部２３によりケースＨの側方開放部１６からもケースＨ外に流れ出させることはない。
【００３０】
また、この実施の形態にあっては、ホルダーＳの最前進位置において、このホルダーＳの保持凹部８ａの形成箇所の外面であって、前側流れ止め部２２よりも後方に位置される箇所に、ホルダーＳの移動方向に交叉する向きに続く縦溝１２が形成されている。この実施の形態にあっては、ホルダーＳの保持凹部８ａの形成箇所の外面に、ホルダーＳの移動方向において隣り合う縦溝１２との間に間隔を開けて複数の縦溝１２、１２…が設けられている。かかる縦溝１２は、ホルダーＳの保持部８の上壁８ｂの外面から下壁８ｃの外面に亘るように形成されている。
【００３１】
これにより、この実施の形態にあっては、ピストンダンパーＤのシリンダ１から前記のように漏れだしてホルダーＳの保持凹部８ａの形成箇所の外面とケースＨの内面との間に入り込んだ粘性流体を、この縦溝１２によって案内してケースＨの前側流れ止め部２２と横側流れ止め部２３とにより囲われた底部２１内に留めるようにしている。
【００３２】
また、この実施の形態にあっては、ホルダーＳの外面であって、前記複数の縦溝１２、１２…のうち最も後方に位置される縦溝１２よりも後方に位置される箇所に、この縦溝１２に溝前端を連通させてホルダーＳの移動方向に続く横溝１３が形成されている。図示の例では、ホルダーＳの保持凹部８ａの形成箇所であって、前記上壁８ｂ及び下壁８ｃを除いた箇所に、上下に隣り合う横溝１３との間に間隔を開けて、複数の横溝１３、１３…が形成されている。各横溝１３の溝後端はホルダーＳの後端に位置し、そこで開放されている。
【００３３】
これにより、この実施の形態にあっては、ピストンダンパーＤのシリンダ１から前記のように漏れだしてホルダーＳの保持凹部８ａの形成箇所の外面とケースＨの内面との間に入り込んだ粘性流体を、かかる横溝１３によってホルダーＳの後端側に案内してケースＨの前側流れ止め部２２と横側流れ止め部２３とにより囲われた底部２１内に留めるようにしている。図示の例では特に、前記横溝１３はケースＨの内面との間に粘性流体を毛細管現象により誘引する深さを持つように構成されている。
【００３４】
また、この実施の形態にあっては、ホルダーＳの最前進位置において、前側窓穴８ｅが前側流れ止め部２２よりも前方に位置されるようになっている。それとと共に、ホルダーＳにおける前側窓穴８ｅと後側窓穴８ｆとの間であって、ホルダーＳの最前進位置において、前側流れ止め部２２よりも後方に位置される箇所に、保持凹部８ａを内外に連通させる貫通孔１４が形成されている。図示の例では、かかる貫通孔１４はホルダーＳの下部側に形成されている。そして、この貫通孔１４と前側窓穴８ｅとの間であってホルダーＳの最前進位置において前側流れ止め部２２よりも後方に位置される箇所において、ホルダーＳの保持凹部８ａの形成箇所の外面に、ホルダーＳの移動方向に交叉する向きに続く縦溝１２が形成されている。図示の例では、貫通孔１４は収納部の前後方向略中程の位置に形成されており、この貫通孔１４と前側窓穴８ｅとの間に二条の縦溝１２、１２が形成され、かつ、この貫通孔１４と後側窓穴８ｆとの間に二条の縦溝１２、１２が形成されている。
【００３５】
これにより、この実施の形態にあっては、ホルダーＳの保持凹部８ａ内の前後二箇所に前記係合突部８ｄを成形し易くする前側窓穴８ｅと後側窓穴８ｆを形成させておきながら、ホルダーＳの最前進位置において前側流れ止め部２２よりも前方に位置される前側窓穴８ｅに前記のように漏れだした粘性流体が至る前に貫通孔１４からホルダーＳ外に流れ出させることができ、そして、この貫通孔１４から流れ出させた粘性流体をケースＨの前側流れ止め部２２と横側流れ止め部２３とにより囲われた底部２１内に留めるようにしている。
【００３６】
なお、前記ケースＨにおける前側流れ止め部２２と横側流れ止め部２３と左側面部と後壁１７とに囲われた底部に、図１において想像線で示すような粘性流体を吸収保持可能なスポンジなどからなるシート状体２５を張り込むようにしておいても良い。
【符号の説明】
【００３７】
Ｓ  ホルダー
Ｈ  ケース
１  シリンダ
８  保持部
８ａ  保持凹部
１６  側方開放部
１７  後壁
２１  底部
２２  前側流れ止め部
２３  横側流れ止め部
【図１】
0005641976.tif 000002
【図２】
0005641976.tif 000003
【図３】
0005641976.tif 000004
【図４】
0005641976.tif 000005
【図５】
0005641976.tif 000006
【図６】
0005641976.tif 000007
【図７】
0005641976.tif 000008
【図８】
0005641976.tif 000009
【図９】
0005641976.tif 000010
【図１０】
0005641976.tif 000011
【図１１】
0005641976.tif 000012
【図１２】
0005641976.tif 000013